(57)【要約】【課題】腕時計等の装身具において、バネ棒が通されるバンドの端部に複雑な形状の切欠きを形成することなく、バネ棒の飛び出しを防止又は抑制する。【解決手段】腕時計１は、ケース３１と、ピン部材３２，３３と、コイルばね３５と、軸方向Ｌ１に沿って移動可能とされた操作部３４と、を有するバネ棒３０と、バネ棒３０が配置される挿通孔２１ａと、バネ棒３０の操作部３４を、移動可能の範囲での移動を許容する切欠き２１ｃと、が形成されたブレスレット２０と、挿通孔２１ａに配置されたバネ棒３０のピン部材３２，３３がそれぞれ嵌め合わされる嵌合孔１２ａ，１２ａを有する腕時計本体１０と、を備え、切欠き２１ｃは挿通孔２１ａに配置されたバネ棒３０の軸方向Ｌ１に対して傾いた方向Ｌ２に延びている。【選択図】図５
2018038470.tif 000002
【特許請求の範囲】
【請求項１】
筒状のケースと、前記ケースの内部で、前記ケースの軸方向の両端に配置されたピン部材と、前記ケースの内部に配置され、前記ピン部材を前記軸方向の外側に押圧する弾性部材と、前記ケースの外周面の外側に突出し、前記ピン部材を前記弾性部材の押圧に抗して前記軸方向の内側に向けて変位させる移動操作が可能とされた操作部と、を有するバネ棒と、
前記バネ棒が配置される、幅方向に沿って延びた挿通孔と、前記挿通孔に配置された前記バネ棒の前記操作部を、前記挿通孔の一方の端部を開放端として前記操作部の移動可能の範囲での移動を許容するように突出させる案内用の切欠きと、が形成されたバンドと、
前記挿通孔に配置された前記バネ棒の前記ピン部材がそれぞれ嵌め合わされる嵌合孔を有する被バンド連結体と、を備え、
前記ピン部材を前記軸方向の内側に向けて変位させた状態の前記操作部が、前記ピン部材を変位させていない状態を経て前記開放端に移動するまでの範囲で、前記操作部が前記切欠きによって形成された壁面の少なくとも一部に接触するように、前記切欠きは前記挿通孔に配置された前記バネ棒の前記軸方向に対して傾いた方向に延びている装身具。
【請求項２】
前記切欠きは、前記操作部が接触する前記壁面と、前記壁面に対向する他の壁面とが平行になるように形成されている請求項１に記載の装身具。
【請求項３】
前記他の壁面は、前記移動操作によって移動する前記操作部を、前記傾いた方向に案内するように形成されている請求項２に記載の装身具。
【請求項４】
前記切欠きは、前記挿通孔の端部に近づくにしたがって前記被バンド連結体に近づく向きに傾いている請求項１から３のうちいずれか１項に記載の装身具。
【発明の詳細な説明】
【技術分野】
【０００１】
本発明は、腕時計等の装身具に関する。
【背景技術】
【０００２】
腕時計は、腕時計本体にバンドが連結されている。腕時計は、バンドが腕に巻き付けられることによって、腕に装着される。ここで、腕時計本体とバンドはバネ棒によって連結されている。バネ棒は、全体として棒状に形成されていて、長さ方向である軸方向に伸縮するように構成されている。具体的には、バネ棒の両端にそれぞれ、先端にピンが形成されたピン部材が配置されていて、各ピン部材は、２つのピン部材の間に配置されたコイルばねによって軸方向の外側に押し付けられた状態となっている。ピン部材及びコイルばねは、円筒状のケースに収容されている。そして、コイルばねを縮めることで、ピン部材が軸方向の中央部側に移動可能となり長さが短くなる。
【０００３】
一方、腕時計本体のケースには、外方に突き出したラグが形成されている。ラグは２つで１対のバンド取り付け部となり、腕時計では２対のバンド取り付け部を有している。対となる２つのラグが互いに向き合う面にはそれぞれ、バネ棒のピン部材のピンが挿入される孔が形成されている。そして、バンドの各端部に設けられたエンド部（エンドピース）に、バンドの幅方向に通されたバネ棒の各ピンが、それぞれ対応するラグの孔に挿入されることで、バンドと腕時計本体とが連結される。
【０００４】
バンドと腕時計本体とが連結された状態から、バネ棒のコイルばねを縮めることでピンを嵌合孔から抜くと、バンドを腕時計本体から取り外すことができる。ここで、ピン部材には、コイルばねを縮めるための手がかりとなる引っ掛け部が形成されているが、細い工具などを引っ掛けるための部分であるため非常に小さく形成されている。そのため、工具でコイルばねを縮め、一方のピンが嵌合孔から抜けた状態のとき、工具がその引っ掛け部から誤って外れて（離れて）しまうと、縮んでいたコイルばねの弾性力がピンに作用してピンが元の状態に飛び出し、ケースに対するピンの相対移動が停止した時点で、ピンの運動エネルギがバネ棒全体の運動を誘起し、バネ棒がエンド部から勢いよく飛び出してしまうことが起こり得る。
【０００５】
そこで、引っ掛け部を円筒状のケースの外周面から突出させて指でも操作することが可能な操作部を設けたものがある。また、バンドのエンド部には、挿通孔に配置された操作部を露出させるとともに、操作部の移動可能の範囲に対応して操作部の移動を許容する案内用の切欠きが形成されている。
【０００６】
ここで、コイルばねを縮めた状態に維持できるように、エンド部には、コイルばねの伸縮に対応して操作部が通過する軸方向に延びた切欠きと、操作部の軸方向への移動を制限した周方向に分岐した切欠きと、を形成したものが提案されている（例えば、特許文献１参照）。
【先行技術文献】
【特許文献】
【０００７】
【特許文献１】実開昭５７−０５２８１７号公報
【発明の概要】
【発明が解決しようとする課題】
【０００８】
しかし、特許文献１に記載されたバンドのエンド部に形成された複雑な形状の切欠きを実際に製造するのは難しい。なお、この問題は、バンドと腕時計本体とをバネ棒で連結した腕時計にのみ生じる問題ではなく、バンドとこのバンドが連結される被バンド連結体とをバネ棒で連結したアクセサリ等の装身具においても同様に生じる。
【０００９】
本発明はこのような事情に鑑みなされたものであって、バネ棒が通されるバンドの端部に複雑な形状の切欠きを形成することなく、バネ棒の飛び出しを防止又は抑制することができる腕時計等の装身具を提供することを目的とする。
【課題を解決するための手段】
【００１０】
本発明は、筒状のケースと、前記ケースの内部で、前記ケースの軸方向の両端に配置されたピン部材と、前記ケースの内部に配置され、前記ピン部材を前記軸方向の外側に押圧する弾性部材と、前記ケースの外周面の外側に突出し、前記ピン部材を前記弾性部材の押圧に抗して前記軸方向の内側に向けて変位させる移動操作が可能とされた操作部とを有するバネ棒と、前記バネ棒が配置される、幅方向に沿って延びた挿通孔と、前記挿通孔に配置された前記バネ棒の前記操作部を、前記挿通孔の一方の端部を開放端として前記操作部の移動可能の範囲での移動を許容するように突出させる案内用の切欠きとが形成されたバンドと、前記挿通孔に配置された前記バネ棒の前記ピン部材がそれぞれ嵌め合わされる嵌合孔を有する被バンド連結体と、を備え、前記ピン部材を前記軸方向の内側に向けて変位させた状態の前記操作部が、前記ピン部材を変位させていない状態を経て前記開放端に移動するまでの範囲で、前記操作部が前記切欠きによって形成された壁面の少なくとも一部に接触するように、前記切欠きは前記挿通孔に配置された前記バネ棒の前記軸方向に対して傾いた方向に延びている装身具である。
【発明の効果】
【００１１】
本発明に係る装身具によれば、バネ棒が通されるバンドの端部に複雑な形状の切欠きを形成することなく、バネ棒の飛び出しを防止又は抑制することができる。
【図面の簡単な説明】
【００１２】
【図１】本発明に係る装身具の一実施形態である腕時計の裏面側（文字板とは反対の裏蓋側）を示す平面図である。
【図２】バネ棒を表す斜視図である。
【図３】図２に示したバネ棒の、操作部を含む鉛直面による断面を示す断面図である。
【図４】腕時計本体に形成されたラグ、バンドのエンドピース及びバネ棒の関係を示す、軸方向に沿った縦断面図である。
【図５】エンドピースに形成された切欠きと操作部との関係を示す平面図である。
【図６】図５におけるＩ−Ｉ線に沿った断面を拡大した断面図である。
【図７】バネ棒の操作部をバネ棒の軸方向に沿って中央部側に移動させた状態を示す、図５相当の平面図である。
【図８】切欠きによって形成された互いに対向する２つの壁面が互いに平行でない例を示す図５相当の平面図である。
【図９】切欠きによって形成された互いに対向する２つの壁面がそれぞれ屈曲した２つの平面で形成された例を示す図５相当の平面図である。
【図１０】切欠きが、軸方向よりも、挿通孔の端部に近づくにしたがって腕時計本体から遠ざかる向きの方向に傾いて形成されたエンドピースの例を示す図５相当の平面図である。
【発明を実施するための形態】
【００１３】
以下、本発明に係る装身具の実施形態について、図面を参照して説明する。
＜腕時計の全体構成＞
図１は、本発明に係る装身具の一実施形態である腕時計１の裏面側（文字板とは反対の裏蓋側）を示す平面図である。図示の腕時計１は、主に女性向けの腕時計である。腕時計１は、腕時計本体１０（被バンド連結体の一例）と、金属製のブレスレット２０（バンドの一例）と、バネ棒３０と、を備え、腕時計本体１０とブレスレット２０とがバネ棒３０によって連結されている。
【００１４】
（バネ棒）
図２は、バネ棒３０を表す斜視図であり、図３は、図２に示したバネ棒３０の、操作部３４を含む鉛直面による断面を示す断面図である。図示のバネ棒３０は、ケース３１と、ピン部材３２，３３と、コイルばね３５（弾性部材の一例）と、操作部３４と、を有している。ケース３１は、図２に示すように、円筒形状であり、両端は絞られている。このため、両端の開口の直径は両端以外の内径よりも小さい。また、ケース３１の周壁の一部には、後述する操作部３４をケース３１の外側に突出させて、操作部３４をケース３１の円筒形状の軸方向Ｌ１に沿って移動可能とさせる開口としてスライド窓３１ａが形成されている。
【００１５】
２つのピン部材３２，３３は、ケース３１の内部で、ケース３１の軸方向Ｌ１の両端に配置されている。一方のピン部材３２は、図３に示すように、ケース３１の絞られた端部よりも直径が大きく形成された鍔部３２ｂが形成されていて、ケース３１の内部を軸方向Ｌ１に沿って移動可能であるが、鍔部３２ｂがケース３１の端部に引っ掛かることでケース３１に保持されている。また、鍔部３２ｂには、ケース３１の軸方向Ｌ１の中央部側から、コイルばね３５が接触していて、コイルばね３５から軸方向Ｌ１の外側に押圧されている。ピン部材３２は、開口よりも小さい直径で円柱状に形成され、鍔部３２ｂよりも軸方向Ｌ１の外側に形成されてケース３１から突出したピン３２ａを有している。
【００１６】
他方のピン部材３３は、ケース３１の絞られた端部よりも直径が大きく形成された円柱部３３ｂが形成されていて、ケース３１の内部を軸方向Ｌ１に沿って移動可能であるが、円柱部３３ｂがケース３１の端部に引っ掛かる。また、円柱部３３ｂには、ケース３１の軸方向Ｌ１の中央部側から、コイルばね３５が接触していて、コイルばね３５から軸方向Ｌ１の外側に押圧されている。ピン部材３３は、開口よりも小さい直径で円柱状に形成され、円柱部３３ｂよりも軸方向Ｌ１の外側に形成されてケース３１から突出したピン３３ａを有している。
【００１７】
コイルばね３５は、ピン部材３２，３３と同様にケース３１の内部であって、ピン部材３２とピン部材３３との間に配置されている。コイルばね３５の自然長は、ケース３１の内部においてピン部材３２，３３間に配置されているときの長さよりも長い。したがって、コイルばね３５は、弾性力により、ピン部材３２，３３をそれぞれ軸方向Ｌ１の外側（端部側）に押圧している。
【００１８】
操作部３４は、一方のピン部材３３と一体的に形成されている。具体的には、図３に示すように、ピン部材３３の円柱部３３ｂから円柱部３３ｂの半径方向の外側に突出して形成されている。操作部３４は、先端側の頭部３４ａと、頭部３４ａより内側で円柱部３３ｂに接合した首部３４ｂとにより構成されている。頭部３４ａは首部３４ｂよりも大きく形成されていて、手の指を掛けて軸方向Ｌ１に沿って荷重を掛けることができる大きさとなっている。
【００１９】
また、操作部３４の首部３４ｂは、ケース３１のスライド窓３１ａを貫通していて、頭部３４ａをケース３１の外周面の外側に露出させている。操作部３４は、スライド窓３１ａの範囲で軸方向Ｌ１に沿って移動可能であり、操作部３４の頭部３４ａに指等を掛けて、スライド窓３１ａの範囲で軸方向Ｌ１の中央部側に向けた荷重を掛けることで、操作部３４が接合されたピン部材３３を、コイルばね３５の弾性力に抗して、軸方向Ｌ１の内側（中央部側）に向けて変位させることができる。
【００２０】
（腕時計本体）
図４は、腕時計本体１０に形成されたラグ１２、ブレスレット２０のエンドピース２１及びバネ棒３０の関係を示す、軸方向Ｌ１に沿った縦断面図、図５は、エンドピース２１に形成された切欠き２１ｃと操作部３４との関係を示す平面図、図６は、図５におけるＩ−Ｉ線に沿った断面を拡大した断面図である。
【００２１】
腕時計本体１０は、ケース１１及び風防ガラスで囲まれた内部に、ムーブメント、文字板及び指針等を収容している。ケース１１には、図１に示すように、外方に突き出した４つのラグ１２が形成されている。ラグ１２は２つで１対のバンド取り付け部を構成し、腕時計１は２対のバンド取り付け部を有している。図４に示すように、対となる２つのラグ１２，１２が互いに向き合う面１２ｐ，１２ｐにはそれぞれ、バネ棒３０のピン部材３２のピン３２ａ及びピン部材３３のピン３３ａがそれぞれ嵌め合わされる嵌合孔１２ａ，１２ａが形成されている。
【００２２】
向き合う面１２ｐ，１２ｐ間の寸法は、バネ棒３０のケース３１の長さよりも長いが、操作部３４に荷重を作用させない状態での、バネ棒３０の全体の寸法（ピン部材３２，３３の軸方向Ｌ１に沿った最も外側の面の間の寸法）よりも短い。したがって、操作部３４に荷重を作用させない状態では、バネ棒３０のピン３２ａ及びピン３３ａがそれぞれ嵌合孔１２ａ，１２ａに挿入された状態となるため、バネ棒３０は１対のバンド取り付け部に保持される。
【００２３】
一方、操作部３４に、スライド窓３１ａの範囲で軸方向Ｌ１の中央部側に向けた荷重を作用させて、ピン部材３３を軸方向Ｌ１の中央部側に最も変位させた状態では、操作部３４と一体のピン部材３３のピン３３ａが、ラグ１２の嵌合孔１２ａから抜けた状態となる。したがって、ピン３３ａが嵌合孔１２ａから抜けた状態で、ピン３３ａをラグ１２の向き合う面１２ｐから退避させるようにバネ棒３０を傾けることで、他方のピン部材３２のピン３２ａも、ラグ１２の嵌合孔１２ａから抜くことができ、バネ棒３０は１対のバンド取り付け部に保持されない状態となる。
【００２４】
なお、本実施形態の腕時計１は、２つの嵌合孔１２ａ，１２ａが、向き合う面１２ｐ，１２ｐとは反対側の面まで貫通しているが、これは、嵌合孔１２ａ，１２ａを穿孔して形成する場合の製造の容易化のためである。したがって、各嵌合孔１２ａ，１２ａは、向き合う面１２ｐ，１２ｐとは反対側の面まで貫通していなくてもよい。
【００２５】
（ブレスレット）
ブレスレット２０は、金属製であり、帯状の両端にそれぞれエンドピース２１を備えている。各エンドピース２１には、図４に示すように、ブレスレット２０の幅方向（ブレスレット２０の長さ方向に直交する方向）に沿って延びた、バネ棒３０が配置される挿通孔２１ａが形成されている。また、エンドピース２１には、ブレスレット２０の、エンドピース２１に隣接する他のピースに連結するための連結棒が通される他の挿通孔２１ｂも形成されている。
【００２６】
エンドピース２１は、幅が、１対のラグ１２，１２の向き合う面１２ｐ，１２ｐ間の寸法よりも僅かに狭く形成されていて、挿通孔２１ａにバネ棒３０が配置された状態においては、エンドピース２１の幅の外側に、挿通孔２１ａに配置されたバネ棒３０の両端のピン３２ａ，３３ａだけが突出した状態となる。
【００２７】
また、エンドピース２１には、図５に示すように、挿通孔２１ａに配置されたバネ棒３０の操作部３４を、操作部３４の移動可能の範囲での移動を許容するように突出させる案内用の切欠き２１ｃが形成されている。この切欠き２１ｃは、エンドピース２１の幅方向の一方の側面まで達して、端部は側面に開口した開放端２１ｈを形成している。
【００２８】
また、この切欠き２１ｃは、ピン部材３３を軸方向Ｌ１の中央部側（内側）に向けて変位させた状態の操作部３４が、ピン部材３３を変位させていない状態を経て開放端２１ｈに移動するまでの範囲で、操作部３４が切欠き２１ｃによって形成されたエンドピース２１に形成された壁面２１ｄの少なくとも一部に接触するように形成されている。切欠き２１ｃは、例えば、ピン部材３３を軸方向Ｌ１に沿って中央部側に向けて変位させた状態から、ピン部材３３を変位させていない状態に戻る前の範囲で、操作部３４が壁面２１ｄに接触するように、形成することができる。この場合、具体的には、切欠き２１ｃは、エンドピース２１の挿通孔２１ａに配置されたバネ棒３０の軸方向Ｌ１に対して角度θ（θ≠０）［度］だけ傾いた方向Ｌ２に延びたように形成することができる。
【００２９】
この角度θは、例えば２．５［度］であるが、この角度に限定されるものではない。すなわち、壁面２１ｄに接触する操作部３４を、軸方向Ｌ１の中央部側（内側）に向けて移動させることができる範囲であれば、２．５［度］を超える角度であってもよい。ただし、角度θが過剰に大きいと、操作部３４を、軸方向Ｌ１の中央部側（内側）に向けて移動させる際の抵抗が大きくなって操作がしにくくなったり、操作部３４から指を離した後に、コイルばね３５の弾性力だけで操作部３４が元の位置に戻らなかったりすることが起こり得る。このため、角度θは、そのような問題が生じない範囲で設定するのが好ましく、例えば２〜５［度］の範囲、より好ましくは２〜３［度］の範囲が適切である。
【００３０】
なお、切欠き２１ｃによって形成された互いに対向する２つの壁面２１ｄ，２１ｅは平行に形成されていて、これら２つの壁面２１ｄ，２１ｅ間の寸法は、図６に示すように、操作部３４の首部３４ｂの太さよりも広く、かつ頭部３４ａの太さよりも狭く設定されている。
【００３１】
壁面２１ｅは、軸方向Ｌ１に対して角度θだけ傾いているため、操作部３４を軸方向Ｌ１に沿って中央部側に向けて変位させる際、仮に、操作部３４を壁面２１ｅ側に押し付けながら操作しても、操作部３４が壁面２１ｅの一部に接触して、操作部３４を角度θの方向に案内する。これにより、操作部３４が軸方向Ｌ１の中央部側に変位された状態のとき、操作部３４は軸方向Ｌ１に対して壁面２１ｄ側に寄せられた状態となり、軸方向Ｌ１の中央部側に変位した操作部３４から手を離し、コイルばね３５の弾性力により操作部３４が変位前の位置を経て開放端２１ｈに移動するまでの間で、より確実に操作部３４を壁面２１ｄに接触させることができる。
【００３２】
また、本実施形態の腕時計１における切欠き２１ｃによって形成された互いに対向する２つの壁面２１ｄ，２１ｅは平行であるが、これら２つの壁面２１ｄ，２１ｅは平行でなくてもよい。
【００３３】
＜作用＞
図７は、バネ棒３０の操作部３４をバネ棒３０の軸方向Ｌ１に沿って中央部側に移動させた状態を示す、図５相当の平面図である。以上のように構成された腕時計１によれば、ブレスレット２０のエンドピース２１が腕時計本体１０のラグ１２，１２にバネ棒３０によって連結されている状態（図５参照）から、ブレスレット２０を取り外すときは、図７に示すように、バネ棒３０の操作部３４（特に頭部３４ａ）に指を掛けて、コイルばね３５の弾性力に抗して、操作部３４をバネ棒３０の軸方向Ｌ１に沿って中央部側に移動させる。このとき、操作部３４と一体のピン部材３３のピン３３ａは、図示右側のラグ１２の嵌合孔１２ａ（図４参照）から抜けた状態となっている。
【００３４】
この状態で、ピン３３ａが、ラグ１２の向き合う面１２ｐから退避するようにエンドピース２１の傾きを調整することで、エンドピース２１の幅方向の一方の端部をバンド取り付け部である２つのラグ１２，１２の間から退避させる。なお、この状態では、他方のピン部材３２のピン３２ａはラグ１２の嵌合孔１２ａに挿入されたままの状態である。
【００３５】
ここで、操作部３４に掛けていた指を操作部３４から離すと、操作部３４は、ピン部材３３に作用しているコイルばね３５の弾性力により、バネ棒３０の軸方向Ｌ１に沿ってスライド窓３１ａの範囲で外側（ピン部材３３の側の外側）に、ケース３１に対して相対的に変位する。首部３４ｂがスライド窓３１ａの端に到達してケース３１に当たると、ケース３１に対する操作部３４及びピン部材３３の相対移動は停止するが、操作部３４及びピン部材３３の運動エネルギがバネ棒３０の全体に作用し、バネ棒３０が軸方向Ｌ１に沿ってエンドピース２１の挿通孔２１ａから飛び出すように動く。
【００３６】
バネ棒３０がエンドピース２１の挿通孔２１ａから飛び出すとき、操作部３４は、エンドピース２１に形成された切欠き２１ｃを通過するが、図５に示すように、バネ棒３０の移動方向が軸方向Ｌ１であるのに対して、切欠き２１ｃは軸方向Ｌ１に対して角度θだけ傾いた方向Ｌ２に沿って延びている。したがって、バネ棒３０が挿通孔２１ａから飛び出そうとするとき、軸方向Ｌ１に沿って移動する操作部３４の、主に頭部３４ａの下部が、切欠き２１ｃにより形成された壁面２１ｄに接触する。この接触によって発生する摩擦力により、バネ棒３０の運動エネルギが減少し、挿通孔２１ａから飛び出すバネ棒３０の速度が小さくなり、又はバネ棒３０の飛び出しが抑制される。
【００３７】
このように、本実施形態の腕時計１によると、バネ棒３０が通されるブレスレット２０のエンドピース２１に複雑な形状の切欠きを形成することなく、すなわち、エンドピースに従来より形成されていた切欠きを、バネ棒３０の軸方向Ｌ１に対して僅かに傾いた方向Ｌ２に変えただけの構造により、バネ棒３０の飛び出しを有効に防止又は抑制することができる。
【００３８】
また、本実施形態の腕時計１は、エンドピース２１に形成された切欠き２１ｃが、この切欠き２１ｃによって形成される２つの互いに対向する壁面２１ｄ，２１ｅが互いに平行であるため、旋削等の加工によって簡単に形成することができる。
【００３９】
本発明における切欠きは、切欠きによって形成される互いに対向する２つの壁面が平行であるものに限定されない。図８は、切欠き２１ｃによって形成された互いに対向する２つの壁面２１ｄ，２１ｅが互いに平行でない例を示す図５相当の平面図である。
【００４０】
図８に示したエンドピース２１の切欠き２１ｃは、切欠き２１ｃの端部（開放端２１ｈ）に向かうにしたがって、バネ棒３０の軸心に近づく側の壁面２１ｄは図５に示した実施形態の切欠き２１ｃと同じであるが、図５に示した実施形態では、切欠き２１ｃの端部（開放端２１ｈ）に向かうにしたがって、バネ棒３０の軸心から遠ざかる側であった壁面２１ｅは、本実施形態では、バネ棒３０の軸心から遠ざからずに、バネ棒３０の軸方向Ｌ１と平行な方向Ｌ３に沿って延びている。切欠き２１ｃがこのような壁面２１ｄ，２１ｅを形成するものであっても、軸方向Ｌ１の外側に向かって移動する操作部３４を壁面２１ｄに接触させることができ、上述した実施形態の腕時計１と同様の効果を発揮する。
【００４１】
なお、図８に示した実施形態は、切欠き２１ｃの開放端２１ｈにおける壁面２１ｄ，２１ｅ間の寸法（幅）と、これらの壁面２１ｄ，２１ｅに挟まれた操作部３４の部位との隙間を狭めることで、より確実に操作部３４を壁面２１ｄに接触させることが可能である。
【００４２】
本発明における切欠きは、切欠きによって形成される互いに対向する２つの壁面がそれぞれ単一の平面で形成されているものに限定されない。図９は、切欠き２１ｃによって形成された互いに対向する２つの壁面がそれぞれ屈曲した２つの平面で形成された例を示す図５相当の平面図である。
【００４３】
図９に示したエンドピース２１の切欠き２１ｃは、切欠き２１ｃの開放端２１ｈ側で、バネ棒３０の軸方向Ｌ１に対して傾いた方向Ｌ２に平行な２つの壁面２１ｄ，２１ｅを形成し、切欠き２１ｃの開放されていない端部側で、バネ棒３０の軸方向Ｌ１に平行な方向Ｌ４に沿って延びた２つの壁面２１ｆ，２１ｇを形成している。切欠き２１ｃがこのように、互いに対向する２つの壁面として、それぞれ屈曲した２つの平面（壁面２１ｄ，２１ｆ及び壁面２１ｅ，２１ｇ）を形成するものであっても、軸方向Ｌ１の外側に向かって移動する操作部３４を壁面２１ｄに接触させることができ、上述した実施形態の腕時計１と同様の効果を発揮する。
【００４４】
なお、図９に示した例の変形例として、切欠き２１ｃで形成される壁面として、２つの平面で形成するのではなく、曲面で形成したものであってもよい。例えば、壁面２１ｆ，２１ｇは、軸方向Ｌ１に沿った中央部側から開放端２１ｈに向かうにしたがって、小さな曲率で曲がる曲面で形成してもよい。
【００４５】
また、本実施形態の腕時計１は、エンドピース２１に形成された切欠き２１ｃが、軸方向Ｌ１よりも、挿通孔２１ａの端部に近づくにしたがって腕時計本体１０に近づく向きの方向Ｌ２に傾いている。切欠き２１ｃは、腕時計１を腕に装着した状態で、内側に向いた面に形成されているため、腕への装着状態では、切欠き２１ｃは、配置が裏側であると同時にラグ１２で隠されるため、人目に付きにくい。しかし、配置が裏側であっても、切欠き２１ｃの端部は開口しているため、ラグ１２の先端に近づくと、エンドピース２１の回転位置によっては、切欠き２１ｃの開放端２１ｈがラグ１２から腕時計本体１０とは反対側にはみ出して、外部の側方から見え易くなる。
【００４６】
本実施形態の腕時計１における切欠き２１ｃは、上述した通りの傾きであるため、切欠き２１ｃの端部の開放端２１ｈはラグ１２の根元に近づくため、切欠き２１ｃの開放端２１ｈがラグ１２の先端に近づくものよりも、開放端２１ｈが外部の側方から見えにくくなっている。したがって、本実施形態の腕時計１は、切欠き２１ｃが外観品質に与える影響を低くすることができる。
【００４７】
図１０は、切欠き２１ｃが、軸方向Ｌ１よりも、挿通孔２１ａの端部に近づくにしたがって腕時計本体１０から遠ざかる向きの方向Ｌ５に傾いて形成されたエンドピース２１の例を示す図５相当の平面図である。図１０に示した切欠き２１ｃが形成されたエンドピース２１を有する実施形態の腕時計１は、上述したように、図５に示したエンドピース２１を有する実施形態の腕時計１に比べて、切欠き２１ｃの端部の開放端２１ｈが外部の側方から見え易くなる可能性はあるが、切欠き２１ｃによって形成された壁面２１ｅに操作部３４が接触して、バネ棒３０の飛び出しを有効に防止又は抑制することができ、本発明に係る装身具の一例とすることができる。
【００４８】
本実施形態の腕時計１は、図１に示すように腕時計１を裏側にして腕時計本体１０に対してエンドピース２１を上側に配置した状態で、切欠き２１ｃが、図５に示すように、エンドピース２１の幅方向における右側に、開放端２１ｈが形成されているが、本発明はこの形態に限定されるものではなく、図５のエンドピース２１とは左右対称で、エンドピース２１の幅方向における左側に、開放端２１ｈが形成されている切欠きであってもよい。
【００４９】
本実施形態の腕時計１は、図１に示すように、ラグ１２に、チャーム（小アクセサリ）１９が付加されている。チャーム１９は、飾り１９ａと飾り１９ａに付加されたリング１９ｂとを備えていて、リング１９ｂにラグ１２を通し、ラグ１２にブレスレット２０のエンドピース２１を連結した状態で、チャーム１９が腕時計１に保持される。そして、このように保持されたチャーム１９を他の種類のチャームに交換する場合、上述した要領で、ラグ１２からエンドピース２１を取り外すことが必要となる。したがって、このようにラグ１２に、交換可能のチャーム１９が保持された腕時計１では、エンドピース２１を着脱する機会が多くなり、上述した効果が発揮される機会が増えて、より効果的である。
【００５０】
なお、ラグ１２の向き合う面１２ｐ，１２ｐ付近の背面（腕時計１の裏側に対応した面）は、図１に示すように、向き合う面１２ｐ，１２ｐに対して傾斜した傾斜部１２ｑ，１２ｑが形成されているが、図５では、この傾斜部１２ｑ，１２ｑを省略して示している。この傾斜部１２ｑ，１２ｑは、エンドピース２１の挿通孔２１ａにバネ棒３０が挿通されてピン３２ａ，３３ａが挿通孔２１ａからそれぞれ突出した状態で、腕時計１の裏面側からラグ１２，１２の間にエンドピース２１を挿入する場合に、バネ棒３０を縮めながらピン３２ａ，３３ａをラグ２１の挿通孔２１ａ，２１ａに案内するように形成されている。
【００５１】
なお、ラグ１２は、先端部よりも根元側が細くなって括れた形状となっており、これにより、ラグ１２とケース１１の本体部分（ムーブメント等を収容した筒状の部分）とエンドピース２１とで囲まれた空間のうち、チャーム１９のリング１９ｂが動く範囲の空間を広くすることができる。これにより、リング１９ｂを動きやすくし、チャーム１９を動かし易くすることができる。
【００５２】
上述した実施形態の腕時計１は、操作部３４を、エンドピース２１の切欠き２１ｃによって形成された壁面２１ｄで接触させるものであるが、操作部３４が実際に接触するのは壁面２１ｄの全面に接触（面接触）するのではなく線状に接触（線接触）するため、切欠き２１ｃによって形成される壁面は、操作部３４に接触する部分が線状に形成されていてもよい。
【００５３】
本実施形態におけるバネ棒３０は、操作部３４が接合されていない側のピン部材３２が、ケース３１とは別体の構成であるが、ピン部材３２はケース３１に対して相対移動するものでなくてもよく、例えば、ケース３１の一部がピン３２ａとして形成されていてもよい。
【００５４】
なお、実施形態の腕時計１は、操作部３４のみが切欠き２１ｃによって形成された壁面２１ｄに接触するものであるが、挿通孔２１ａの内径と、バネ棒３０のケース３１の外径と、傾いた方向Ｌ２の角度θとを調整することで、バネ棒３０のケース３１の外周面のうち、切欠き２１ｃの開口した端部の側に対応した部分をも、壁面２１ｄに接触させるようにしてもよい。例えば、図６において、壁面２１ｄの下端部を、この下端部に隣接するケース３１の外周面に接触させるような寸法関係に設定することも可能である。
【００５５】
実施形態の腕時計１は、バンドの一例として金属製のブレスレット２０を適用したものであるが、本発明に係るバンドは、端部であるエンドピースが金属や樹脂、鉱石等の剛体であればよく、エンドピースを除いた他の帯状の部分は皮革、布、ゴム等の軟らかいものであってもよい。
【００５６】
本実施形態は、本発明に係る装身具の一例として腕時計を適用したものであるが、本発明に係る装身具は、腕時計に限定されるものではなく、時計以外の、例えば、ケース１１内にムーブメントの代わりに貴石他の装飾部材が配置された腕時計型のブレスレットなどの装身具にも適用することができる。
【符号の説明】
【００５７】
１      腕時計
１０    腕時計本体
１２    ラグ
２１    エンドピース
２１ａ  挿通孔
２１ｃ  切欠き
２１ｄ  壁面
２１ｅ  壁面
３０    バネ棒
３１    ケース
３１ａ  スライド窓
３３    ピン部材
３３ａ  ピン
３４    操作部
３４ａ  頭部
３４ｂ  首部
３５    コイルばね
Ｌ１    軸方向
Ｌ２    方向
【図１】
2018038470.tif 000003
【図２】
2018038470.tif 000004
【図３】
2018038470.tif 000005
【図４】
2018038470.tif 000006
【図５】
2018038470.tif 000007
【図６】
2018038470.tif 000008
【図７】
2018038470.tif 000009
【図８】
2018038470.tif 000010
【図９】
2018038470.tif 000011
【図１０】
2018038470.tif 000012